【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
ハウジングであって、該ハウジング内に工具のタングを受け入れて保持するための溝を定めるハウジングと、
手動で調整可能であり、且つ前記ハウジングを通して接触可能であるアクチュエーター機構と、
該アクチュエーター機構に作動的に連結されて、且つ１つ又は複数の締付け指片を備えるクランプアセンブリであって、前記１つ又は複数の締付け指片は、異なるタングスタイルを有する工具を前記締付け指片と前記ハウジングの固定壁との間に固定するために移動可能であり、前記１つ又は複数の締付け指片の移動は、前記アクチュエーター機構の調整に対応するクランプアセンブリと、を備えた工具ホルダであって、
前記アクチュエーター機構は、前記ハウジングに対して相対的に複数の位置に調整可能であり、前記複数の位置の各々は、前記固定壁に対する前記締付け指片に関する異なる設定に対応し、前記複数の位置のうちの２つ以上の位置の各々が、前記工具ホルダと共に使用可能である異なるタングスタイルを有する工具に対応する、ことを特徴とする工具ホルダ。
【請求項２】
前記アクチュエーター機構と前記締付け指片は、前記ハウジングと前記溝との反対側のハウジング側部に配置され、前記アクチュエーター機構と前記締付け指片は、反対側に位置する前記ハウジング側部の上部隅と下部隅とにそれぞれに配置されている、ことを特徴とする請求項１に記載の工具ホルダ。
【請求項３】
前記アクチュエーター機構は、時計回り方向と反時計回り方向との両方における回転によって調整可能であり、二つの方向の一方における前記アクチュエーター機構の回転は、前記固定壁に向かって移動させられる前記締付け指片の移動に対応し、二つの方向の他方における前記アクチュエーター機構の回転は、前記固定壁から離れるように移動させられる前記締付け指片の移動に対応する、ことを特徴とする請求項１に記載の工具ホルダ。
【請求項４】
前記アクチュエーター機構は、回転によって調整可能であり、前記締付け指片と前記固定壁との間に前記工具を固定する時に、前記アクチュエーター機構の調整を制限するために、且つ、異なるタングスタイルを有する１つ又は複数の工具と前記工具ホルダとに対する損傷を防止するための回転範囲を有しており、該回転範囲は１８０度以下に制限されている、ことを特徴とする請求項１に記載の工具ホルダ。
【請求項５】
前記アクチュエーター機構は、回転を可能にするために前記ハウジング内に設けられている穴の中を通る接触可能な端部を有するねじ付きインサートであり、該ねじ付きインサートの回転範囲は、前記ねじ付きインサート内に定められている溝と、前記ハウジング内に収容されており且つ前記溝に受け入れられるピンとに基づいて定められ、前記ねじ付きインサートは前記溝の長さに沿って前記ピンを中心として回転可能である、ことを特徴とする請求項４に記載の工具ホルダ。
【請求項６】
前記ねじ付きインサートの接触可能な端部は六角穴付き頭部で形成されている、ことを特徴とする請求項５に記載の工具ホルダ。
【請求項７】
前記ねじ付きインサートは前記ハウジング内のねじ付き開口部内に備えられ、前記ねじ付きインサートの回転の範囲は前記ねじ付き開口部の深さに原則的に基づいて定められている、ことを特徴とする請求項５に記載の工具ホルダ。
【請求項８】
前記溝は停止点を伴って定められ、該停止点は前記締付け指片に関する異なる設定に対応する、ことを特徴とする請求項５に記載の工具ホルダ。
【請求項９】
前記ハウジングは前記穴の外周部の周りに分布した複数の標示を有し、該複数の標示の各々は前記停止点の１つに対応する、ことを特徴とする請求項８に記載の工具ホルダ。
【請求項１０】
前記アクチュエーター機構の前記接触可能な端部は指標を備え、前記ピンが前記締付け指片に関する設定の１つに対応する前記インサート溝の前記停止点の１つに位置させられるように前記ねじ付きインサートが回転させられるとき、前記指標は前記停止点に関する前記標示の対応する１つに位置合わせされる、ことを特徴とする請求項９に記載の工具ホルダ。
【請求項１１】
前記溝は前記ねじ付きインサートの反対側の端部の中に設けられ、前記溝はその長さに沿ったピッチを有し、該ピッチは前記溝に沿った前記ピンの位置に依存する前記溝からの異なる長さを前記ピンが有することを可能にし、これによって、前記締付け指片は、前記ピンの長さが増大するにつれて前記固定壁に向かって移動させられ、これによって、前記締付け指片は、前記ピンの長さが減少するにつれて、前記固定壁から遠ざかるように移動させられる、ことを特徴とする請求項５に記載の工具ホルダ。
【請求項１２】
前記溝は前記ねじ付きインサートの雄ねじよりも大きいピッチを有し、これによって、前記ねじ付きインサートの小さな回転が、前記インサート溝からのピンの長さにおける大きな変化を結果的に生じさせる、ことを特徴とする請求項１１に記載の工具ホルダ。
【請求項１３】
１つ又は複数の締付け指片を跨いで延びる長さを有する縦に延びるクランプ本体として定められているクランププレートを備え、前記クランプ本体は、前記１つ又は複数の締付け指片に接触する端部を有し、前記１つ又は複数の締付け指片の移動が、前記アクチュエーター機構の回転から生じる前記クランププレートの移動と、これに対応する前記溝内のピンの回転とに対応する、ことを特徴とする請求項５に記載の工具ホルダ。
【請求項１４】
前記クランププレートは、該クランププレート内に備えられている少なくとも２つの異なる許容範囲領域を有し、第１の許容範囲領域が前記クランプ本体の端部の長さに方向に交差して定められている複数の第１のスリットを備え、これによって前記１つ又は複数の締付け指片に接触している複数のクランププレートの部分を形成し、第２の許容範囲領域が、前記クランププレートの部分の各々の深さ方向に交差して定められている、ことを特徴とする請求項１３に記載の工具ホルダ。
【請求項１５】
前記アクチュエーター機構は、前記ハウジング内に設けられている穴から延びており、且つ前記クランプアセンブリに作動的に連結されている締付けナットに連結されているアームであり、該アームの回転範囲が前記締付けナットの回転範囲に制限されている、ことを特徴とする請求項４に記載の工具ホルダ。
【請求項１６】
前記アクチュエーター機構はねじ頭部を備え、該ねじ頭部の回転範囲は該ねじ頭部に加えられる最大トルクで制限されている、ことを特徴とする請求項４に記載の工具ホルダ。
【請求項１７】
ハウジング内に工具のタングを受け入れて保持するための溝を定めるハウジングと、
手動で回転可能であり且つ前記ハウジングを通る接触可能であるねじ付きインサートと、
該ねじ付きインサートに作動的に連結され、且つ、異なるタングスタイルを有する工具をクランプアセンブリと前記ハウジングの固定壁との間に固定するように構成されているクランプアセンブリであって、該クランプアセンブリは１つ又は複数の締付け指片を備え、該クランプアセンブリの移動が前記ねじ付きインサートの回転に対応しているクランプアセンブリ、とを備え、
前記ねじ付きインサートは前記ハウジングに対して相対的に複数の位置に回転することが可能であり、該複数の位置の各々は前記固定壁に対する相対的な前記クランプアセンブリに関する異なる設定に対応し、前記複数の位置のうちの２つ以上の位置の各々が、前記工具ホルダと共に使用可能である工具の異なるタングスタイルに対応し、
前記インサートは、前記クランプアセンブリと前記固定壁との間に工具を固定する時に、異なるタングスタイルを有する１つ又は複数の工具と前記工具ホルダとに対する過剰な回転とこれに対応する損傷とを防止するための回転範囲を有する、ことを特徴とする工具ホルダ。
【請求項１８】
機構は、回転を可能にするために前記ハウジング内に設けられている穴を通して接触可能である端部を有するねじ付きインサートであり、該ねじ付きインサートの回転の範囲が、該ねじ付きインサート内に定められている溝と、前記ハウジング内に収容されており且つ前記溝によって受け入れられるピンとに基づいており、前記ねじ付きインサートは前記溝の長さに沿って前記ピンの周りを回転することが可能である、ことを特徴とする請求項１７に記載の工具ホルダ。
【請求項１９】
前記溝は前記ねじ付きインサートの反対側の端部内に定められ、前記溝はその長さに沿ってピッチを有し、該ピッチは、前記溝に沿って前記ピンの位置に応じて前記ねじ付きインサートの溝からの変化する長さを前記ピンが有することを可能にし、これによって、前記締付け指片は、前記ピンの長さが増大するにつれて前記固定壁に向かって移動させられ、前記締付け指片は、前記ピンの長さが減少するにつれて前記固定壁から遠ざかるように移動させられる、ことを特徴とする請求項１８に記載の工具ホルダ。
【請求項２０】
前記溝は前記ねじ付きインサートの雄ねじよりも大きいピッチを有し、これによって、前記ねじ付きインサートの小さい回転が前記溝からの前記ピンの長さの大きな変化を結果的に生じさせる、ことを特徴とする請求項１９に記載の工具ホルダ。
【請求項２１】
異なるタングスタイルを有する工具と共に使用するように構成されている工具ホルダであって、
該工具ホルダは、
ハウジングと、
機械的に作動可能であり、且つ前記ハウジング内に設けられている開口部を通して接触可能である機構と、
該機構に作動的に連結されており、且つ、クランププレートと１つ又は複数の締付け指片とを備える、クランプアセンブリと、を備え、
該クランププレートは、前記１つ又は複数の締付け指片を跨いで延びる長さを有する縦に延びるクランプ本体として定められ、該クランプ本体は、前記１つ又は複数の締付け指片に接触する端部を有し、該１つ又は複数の締付け指片は、該締付け指片と前記ハウジングの固定壁の間に、異なるタングスタイルを有する工具を固定するために回転することが可能であり、前記１つ又は複数の締付け指片の移動は、前記機構の調整から生じる前記クランププレート端部の移動に対応し、
前記クランププレートは、該クランププレート内に備えられている少なくとも２つの異なる許容範囲領域を有し、第１の許容範囲領域が、前記クランプ本体の長さ方向に交差して定められている複数の第１のスリットを備え、これによって前記１つ又は複数の締付け指片に接触している複数のクランププレートの部分を形成し、第２の許容範囲領域が前記クランププレートの部分の各々の深さ方向に交差して定められている、ことを特徴とする工具ホルダ。
【請求項２２】
前記第１及び第２の許容範囲領域は、前記締付け指片と前記ハウジングの前記固定壁との間に工具を固定する時に、１つ又は複数の締付け指片に対して補完的な許容範囲を共同して提供する、ことを特徴とする請求項２１に記載の工具ホルダ。
【請求項２３】
前記クランプ本体の長さは、前記複数の第１のスリットが前記クランププレートの端部と前記１つ又は複数の締付け指片との対応する移動に対して交差する許容範囲を提供するように、前記クランププレートの端部と前記１つ又は複数の締付け指片との対応する移動に交差しており、一方、第２の許容範囲領域が、こうした対応する移動の方向における許容範囲を提供する、ことを特徴とする請求項２１に記載の工具ホルダ。
【請求項２４】
前記第２の許容範囲領域は、前記クランププレートの部分の対応する範囲内の深さに各々が定められている複数の第２のスリットを備える、ことを特徴とする請求項２３に記載の工具ホルダ。
【請求項２５】
前記複数の第１のスリットは、前記複数の第２のスリットに対して交差方向配置の形で延びるように定められている、ことを特徴とする請求項２４に記載の工具ホルダ。
【請求項２６】
前記第２の許容範囲領域は、１つ又は複数の締付け部分との接触点において前記クランププレートの部分の各々の上に備えられている形状記憶材料を含む、ことを特徴とする請求項２３に記載の工具ホルダ。
【請求項２７】
前記クランププレートの部分は、前記形状記憶材料の位置決めのための切り抜き部分を伴って定められている、ことを特徴とする請求項２６に記載の工具ホルダ。
【請求項２８】
前記工具を前記締付け指片と前記ハウジングの固定壁との間に固定する時に、前記機構の調整を制限して、異なるタングスタイルを有する１つ又は複数の工具と前記工具ホルダとに対する損傷を防止するために、前記クランプアセンブリの１つ又は複数の構成要素が、前記ハウジング内に収容されており、且つ、前記機構と前記クランププレートとの間に作動的に連結されている、ことを特徴とする請求項２１に記載の工具ホルダ。
【請求項２９】
前記機構は、前記構成要素に作動的に連結されている端部を有するアームであり、予め決められた調整範囲が、前記ハウジングに対する相対的な前記アームの回転範囲であり、前記アームの前記回転範囲は１８０度以下に制限されている、ことを特徴とする請求項２８に記載の工具ホルダ。
【請求項３０】
前記機構はねじ頭部を備え、予め決められた調整範囲は、前記ねじ頭部に加えられる最大トルクまでの前記ねじ頭部の回転範囲である、ことを特徴とする請求項２８に記載の工具ホルダ。
【請求項３１】
異なるタングスタイルを有する工具と共に使用するように構成されている工具ホルダであって、
ハウジングと、
機械的に作動可能であり、且つ、前記ハウジング内に設けられている開口部を通して接触可能である機構と、
該機構に作動的に連結されており、且つ、クランププレートと１つ又は複数の締付け指片とを備えるクランプアセンブリと、を備え、
前記クランププレートは、前記１つ又は複数の締付け指片を跨いで延びる長さを有する縦に延びるクランプ本体として定められており、該クランプ本体は、前記締付け指片と前記ハウジングの固定壁との間に前記工具を固定するために移動させられる、前記１つ又は複数の締付け指片に接触する端部を有し、前記１つ又は複数の締付け指片の移動は、前記機構の調整から生じる前記クランププレートの端部の移動に対応し、
前記クランプアセンブリの１つ又は複数の構成要素が、前記ハウジングの中に収容され、前記締付け指片と前記ハウジングの前記固定壁との間に前記工具を固定する時に、異なるタングスタイルを有する１つ又は複数の工具と前記工具ホルダとに対する損傷を防止するように前記機構の調整を制限するために、前記機構と前記クランププレートとの間に作動的に連結され、
前記クランププレートは、該クランププレート内に備えられている少なくとも２つの異なる許容範囲領域を有する、ことを特徴とする工具ホルダ。
【請求項３２】
第１の許容範囲領域がクランプ本体の端部の長さ方向に交差して定められ、第２の許容範囲領域がクランプ本体の端部の深さ方向に交差して定められている、ことを特徴とする請求項３１に記載の工具ホルダ。
【請求項３３】
前記クランププレートの端部と前記１つ又は複数の締付け指片との対応する移動に対して交差する許容範囲を前記第１の許容範囲領域が提供するように、前記クランプ本体の長さが、前記クランププレートの端部と前記１つ又は複数の締付け指片との対応する移動に対して交差する方向にあり、前記第２の許容範囲領域はこうした対応する移動の方向において許容範囲を提供する、ことを特徴とする請求項３２に記載の工具ホルダ。
【請求項３４】
前記第１の許容範囲領域は、前記クランプ本体の長さ方向に交差して定められている複数の第１のスリットを備え、これによって前記１つ又は複数の締付け指片に接触している複数のクランププレートの部分を形成し、前記第１の許容範囲領域と前記第２の許容範囲領域は、前記締付け指片と前記ハウジングの前記固定壁との間に工具を固定する時に、前記１つ又は複数の締付け指片に対して補完的な許容範囲を共同で提供する、ことを特徴とする請求項３２に記載の工具ホルダ。
【請求項３５】
前記第２の許容範囲領域は、前記クランププレートの部分の対応する範囲内の深さに各々が定められている複数の第２のスリットを備え、前記第１の複数のスリットは、前記第２の複数のスリットに対して交差方向配置の形で延びるように定められている、ことを特徴とする請求項３４に記載の工具ホルダ。
【請求項３６】
前記第２の許容範囲領域は、１つ又は複数の締付け部分との接触点において前記クランププレートの部分の各々の上に備えられている形状記憶材料を含む、ことを特徴とする請求項３４に記載の工具ホルダ。
【請求項３７】
前記機構は前記構成要素に作動的に連結されている端部を有するアームであり、前記予め決められた調整範囲は前記ハウジングに対する前記アームの回転範囲であり、該アームの回転範囲は１８０度以下に制限されている、ことを特徴とする請求項３１に記載の工具ホルダ。
【請求項３８】
前記アームの端部は前記締付けアセンブリの締付けナットに作動的に連結され、前記締付けナットは、該締付けナットの外周部の一部分の周りを延びる溝を伴って設けられ、該溝の中に前記ハウジング内に堅固に保持されているピンが突き出し、該ピンに対する前記アームによる前記締付けナットの相対的な回転が、前記クランププレートの対応する移動を結果的に生じさせる、ことを特徴とする請求項３７に記載の工具ホルダ。
【請求項３９】
前記溝の長さに沿った複数の点が、前記締付け指片と前記ハウジングの前記固定壁との間に装着されている異なるタングスタイルを有する工具を固定するための、前記クランクプレートと前記１つ又は複数の締付け指片との移動に対応して定められている、ことを特徴とする請求項３８に記載の工具ホルダ。
【請求項４０】
前記アームは前記締付けアセンブリのカムに回転自在に連結されており、前記カムはカムカートリッジ内に保持され、前記アームを介し且つ前記カムカートリッジに対する前記カムの回転が、前記カムカートリッジに対する作動的な連結によって前記クランププレートの対応する移動を結果的に生じさせる、ことを特徴とする請求項３７に記載の工具ホルダ。
【請求項４１】
前記カムカートリッジは、前記締付け指片と前記ハウジングの前記固定壁との間に装着される意図されたタングスタイルに基づいて、カムの回転の前に配置され、前記アームを介し且つ前記カムカートリッジに対する前記カムの移動が、意図されたタングスタイルに対応して定められ、前記クランププレートと前記１つ又は複数の締付け指片との移動を結果的に生じさせる、ことを特徴とする請求項４０に記載の工具ホルダ。
【請求項４２】
前記機構はねじ頭部を備え、前記予め決められた調整範囲は前記ねじ頭部に加えられる最大トルクでの前記ねじ頭部の回転範囲である、ことを特徴とする請求項３１に記載の工具ホルダ。
【請求項４３】
前記ねじ頭部は前記締付けアセンブリの内部クラッチと選択的に係合させられ、該内部クラッチは、調整中に前記ねじ頭部に加えられる最大トルクまで前記ねじ頭部に対して前記内部クラッチを係合させるクラッチピンを含み、前記最大トルクまでの前記ねじ頭部の回転による前記内部クラッチの回転が、前記締付け指片と前記ハウジングの前記固定壁との間に装着されている異なるタングスタイルを有する工具を固定するための、前記クランププレートと前記１つ又は複数の締付け指片との対応する移動を結果的に生じさせる、ことを特徴とする請求項４２に記載の工具ホルダ。
【請求項４４】
前記締付け指片が異なるタングスタイルを有する工具のいずれかを固定する時に、前記ねじ頭部のさらなる回転が、最大トルクをもたらすと共に、これに対応して、前記ねじ頭部からの前記内部クラッチの係合解除を伴うクラッチピンの潰れを結果的に生じさせる、ことを特徴とする請求項４３に記載の工具ホルダ。
【請求項４５】
前記ねじ頭部は、前記ハウジング内に設けられているポケット内において前記締付けアセンブリのクラッチプレートに選択的に係合させられ、該クラッチプレートは複数の歯を含み、該複数の歯は、前記クラッチプレートと前記ポケットの壁との間に保持されているクラッチばねに基づいて、調整中に、前記ねじ頭部に対して最大トルクが加えられるまで、前記ねじ頭部の対応する凹みに向かって付勢され、前記最大トルクまでの前記ねじ頭部の回転による前記クラッチプレートの回転が、前記締付け指片と前記ハウジングの前記固定壁との間に装着されている異なるタングスタイルを有する工具を固定するための、前記クランププレートと前記１つ又は複数の締付け指片の対応する移動を結果的に生じさせる、ことを特徴とする請求項４２に記載の工具ホルダ。
【請求項４６】
前記締付け指片が異なるタングスタイルを有する工具のいずれかを固定する時に、前記ボルト頭部のさらなる回転が、最大トルクをもたらすと共に、これに対応して、前記ねじ頭部からの前記クラッチプレートの係合解除を伴う、前記ポケット内の前記クラッチばねの潰れを結果的に生じさせる、ことを特徴とする請求項４５に記載の工具ホルダ。
【請求項４７】
ハウジングと、
機械的に作動可能であり、且つ、前記ハウジング内に設けられている開口部を通して接触可能である機構と、
該機構に作動的に連結されており、且つ、クランププレートと１つ又は複数の締付け指片とを有するクランプアセンブリと、を備えた工具ホルダであって、
前記クランププレートは、前記１つ又は複数の締付け指片を跨いで延びる長さを有する縦に延びるクランプ本体として定められ、前記クランプ本体は、前記締付け指片と前記ハウジングの固定壁との間に工具を固定するために移動させられる前記１つ又は複数の締付け指片に接触する端部を有し、前記１つ又は複数の締付け指片の移動は、前記機構の調整から生じる前記クランププレートの端部の移動に対応し、
前記クランププレートは、該クランププレート内に備えられている少なくとも２つの異なる許容範囲領域を有し、第１の許容範囲領域は、クランプ本体の長さを方向に交差して定められている複数の第１のスリットを備え、これによって前記１つ又は複数の締付け指片に接触している複数のクランププレートの部分を形成し、第２の許容範囲領域は、前記クランププレートの部分の各々の深さ方向に交差して定められ、前記第１及び第２の許容範囲領域は、前記締付け指片と前記ハウジングの前記固定壁との間に工具を固定する時に、１つ又は複数の締付け指片に対して補完的な許容範囲を共同して提供する、ことを特徴とする工具ホルダ。
【請求項４８】
前記クランプ本体の長さは、前記第１の複数のスリットが前記クランププレートの端部と前記１つ又は複数の締付け指片との対応する移動に対して交差する許容範囲を提供するように、前記クランププレートの端部と前記１つ又は複数の締付け指片の対応する移動に交差する方向にあり、一方、第２の許容範囲領域が、こうした対応する移動の方向において許容範囲を提供する、ことを特徴とする請求項４７に記載の工具ホルダ。
【請求項４９】
前記第２の許容範囲領域は、前記クランププレートの部分の対応する範囲内の深さにおいて各々が定められている複数の第２のスリットを備える、ことを特徴とする請求項４８に記載の工具ホルダ。
【請求項５０】
前記第１の複数のスリットは、前記第２の複数のスリットに対する交差方向配置の形で延びるように画定されている、ことを特徴とする請求項４９に記載の工具ホルダ。
【請求項５１】
前記第２の許容範囲領域は、１つ又は複数の締付け部分との接触点において前記クランププレート部分の各々の上に備えられている形状記憶材料を含む、ことを特徴とする請求項４８に記載の工具ホルダ。
【請求項５２】
前記工具ホルダは異なるタングスタイルを有する工具と共に使用するように構成され、前記クランプアセンブリの１つ又は複数の構成要素が前記ハウジング内に収容され、前記締付け指片と前記ハウジングの固定壁との間に工具を固定する時に、異なるタングスタイルを有する１つ又は複数の工具と前記工具ホルダとに対する損傷を防止するように前記機構の調整を制限するために、前記機構と前記クランププレートとの間に作動的に連結されている、ことを特徴とする請求項４７に記載の工具ホルダ。